(57)【要約】【課題】キャビネットの額縁部と、液晶パネルの周縁部後側を保持してある保持体とにより液晶パネルの周縁部を前後で挾持する構成において、額縁部の剛性を高めることができ、液晶パネル周縁側の防塵性を高めることができる液晶表示装置を提供する。【解決手段】液晶パネル１の周縁部を保持体（保持枠体５、光源部２）とにより前後に挾持する額縁部６１の後面に、液晶パネル１の外周りに環状に配されているリブ６５を一体に成形し、該リブ６５の複数の周方向位置に筒形ボス６６を一体に成形し、該筒形ボス６６の孔に対応する挿通孔を保持体（光源部の取付板２５）に設け、雄螺子１２を挿通孔へ挿通して筒形ボス６６に捩じ込むことにより液晶パネル１の周縁部を前後に挾持し、額縁部６１の剛性を高めた。【選択図】図１
2009186831.tif 000002
【特許請求の範囲】
【請求項１】
前側に表示面を有する液晶パネルと、該液晶パネルの周縁部及び後側を隠蔽するキャビネットと、該キャビネット内で前記液晶パネルの後側に配され、該液晶パネルの周縁部後側を保持する保持体とを備える液晶表示装置において、前記キャビネットは、前記液晶パネルの周縁部前側に配され、該液晶パネルの周縁部を前記保持体とにより前後に挾持する額縁部と、該額縁部の後面に一体に成形され、前記液晶パネルの外周りに環状に配されるリブ、及び該リブの複数の周方向位置に一体に成形される結合部とを有し、前記保持体は前記結合部に結合される被結合部を有することを特徴とする液晶表示装置。
【請求項２】
前記結合部は筒形ボスであり、前記被結合部は前記筒形ボスの孔に対応する挿通孔を有し、該挿通孔へ挿通して前記筒形ボスに捩じ込まれている雄螺子を備える請求項１記載の液晶表示装置。
【請求項３】
前記結合部は可撓性を有し、前記被結合部に係止される係止爪である請求項１記載の液晶表示装置。
【請求項４】
前記保持体は、前記液晶パネルの周縁部後面に対向し、複数の周方向位置に貫通孔を開設してある環板部、及び該環板部の外縁から後方へ延出されている枠部を有し、前記結合部は前記リブよりも後方へ延出され、前記貫通孔に挿入する挿入部を有する請求項１記載の液晶表示装置。
【発明の詳細な説明】
【技術分野】
【０００１】
本発明は液晶テレビジョン等の液晶表示装置に関する。
【背景技術】
【０００２】
液晶テレビジョン等の液晶表示装置は、前側に表示面を有し直方体をなす液晶パネルと、該液晶パネルの周縁部前側を保持する前保持枠体と、液晶パネルの周縁部後側を保持する後保持枠体と、該後保持枠体の後側に配されている光源部と、液晶パネルの周縁部前側に配される額縁部を有し、液晶パネルの周縁部及び光源部の後側を隠蔽するキャビネットとを備える（例えば、特許文献１、２参照）。
【０００３】
前保持枠体は、液晶パネルの周縁部前面に対向する環板部、及び該環板部の外縁から後方へ延出されている角筒部を有し、金属板を成形してなる。後保持枠体は、液晶パネルの周縁部後面に対向する環板部、及び該環板部の外縁から後方へ延出されている角筒部を有し、合成樹脂材料を成形してなる。前保持枠体及び後保持枠体の周方向複数箇所が雄螺子で結合されることにより液晶パネルの周縁部を前後で挾持してあり、また、前保持枠体及び後保持枠体夫々の角筒部により液晶パネルの周縁側を隠蔽し、キャビネットに開設されている放熱孔等からキャビネット内へ侵入した塵埃が液晶パネルの後面に付着するのを防ぐように構成されている。
【０００４】
光源部は上下に離隔して並置されている複数のランプと、前側が開放され、該ランプを支持するケース体とを有し、該ケース体の周縁部に前記キャビネットが取付けられている。
【０００５】
キャビネットは、前保持枠体の環板部（実質的には液晶パネルの周縁部前側）を隠蔽する額縁部、及び該額縁部の外縁から後方へ延出され、前保持枠体より大形の角筒部を有する合成樹脂製のキャビネット前分体と、ケース体の後側を隠蔽する皿状板部、及び該皿状板部の外縁から前方へ延出され、前保持枠体より大形の角筒部を有する合成樹脂製のキャビネット後分体とを備え、キャビネット前分体の角筒部及びキャビネット後分体の角筒部同士が嵌合され、額縁部及び皿状板部がケース体の周縁部に複数本の雄螺子で結合されている。
【特許文献１】特開２００６−２１５５１２号公報
【特許文献２】特開２００６−２１５４９２号公報
【発明の開示】
【発明が解決しようとする課題】
【０００６】
ところが、特許文献１、２のように構成された従来の液晶表示装置は、前保持枠体及び後保持枠体が液晶パネルの周縁部を前後で挾持することによりパネルモジュールが形成され、該パネルモジュールがキャビネット内に配されているため、液晶表示装置の薄型化が制限され、改善策が要望されていた。
【０００７】
そこで、本発明の出願人はパネルモジュールを構成する前保持枠体をなくし、キャビネット前分体の額縁部と後保持枠体とにより液晶パネルの周縁部を前後に挾持することにより薄型化することができるように構成した液晶表示装置を先に開発した。
【０００８】
しかし、先に開発された液晶表示装置にあっては、パネルモジュールを構成する金属板製の前保持枠体がなく、合成樹脂製のキャビネット前分体及び合成樹脂製の後保持枠体がパネルモジュールを構成しているため、パネルモジュールの剛性が低下することになり、また、液晶パネル周縁側の防塵性が低下することになり、さらなる改善策が要望されていた。
【０００９】
本発明は斯かる事情に鑑みてなされたものであり、主たる目的は液晶パネルの外周りに環状に配されるリブを額縁部の後面に一体に成形し、該リブの複数の周方向位置に結合部を一体に成形し、該結合部に結合する被結合部を保持体に設けることにより、額縁部の剛性を高めることができ、液晶パネル周縁側の防塵性を高めることができる液晶表示装置を提供することにある。
【課題を解決するための手段】
【００１０】
本発明に係る液晶表示装置は、前側に表示面を有する液晶パネルと、該液晶パネルの周縁部及び後側を隠蔽するキャビネットと、該キャビネット内で前記液晶パネルの後側に配され、該液晶パネルの周縁部後側を保持する保持体とを備える液晶表示装置において、前記キャビネットは、前記液晶パネルの周縁部前側に配され、該液晶パネルの周縁部を前記保持体とにより前後に挾持する額縁部と、該額縁部の後面に一体に成形され、前記液晶パネルの外周りに環状に配されるリブ、及び該リブの複数の周方向位置に一体に成形される結合部とを有し、前記保持体は前記結合部に結合される被結合部を有することを特徴とする。
【００１１】
この発明にあっては、液晶パネルの外周りに環状に配されるリブを額縁部の後面に一体に成形してあり、該リブの複数の周方向位置に結合部を一体に成形してあるため、額縁部の剛性、ひいてはパネルモジュールの剛性を高めることができ、液晶パネルを保護することができる。また、リブは液晶パネルの外周りに環状に配され、該リブと一体に成形されている結合部に保持体を結合してあるため、外部の塵埃が液晶パネル側へ侵入するのをリブにより抑制することができ、液晶パネル周縁側の防塵性を高めることができる。
【００１２】
また、本発明に係る液晶表示装置は、前記結合部は筒形ボスであり、前記被結合部は前記筒形ボスの孔に対応する挿通孔を有し、該挿通孔へ挿通して前記筒形ボスに捩じ込まれている雄螺子を備える構成とするのが好ましい。
この発明にあっては、環状に配されるリブの複数の周方向位置に筒形ボスを一体に成形してあるため、筒形ボスによりリブの剛性を高めることができ、リブを一体に成形してある額縁部の剛性をより一対層高めることができる。
【００１３】
また、本発明に係る液晶表示装置は、前記結合部は可撓性を有し、前記被結合部に係止される係止爪である構成とするのが好ましい。
この発明にあっては、係止爪を被結合部に係止することにより額縁部を保持体に結合することができるため、額縁部の組立作業性、ひいては表示装置の組立作業性を高めることができ、コストを低減できる。
【００１４】
また、本発明に係る液晶表示装置は、前記保持体は、前記表示パネルの周縁部後面に対向し、複数の周方向位置に貫通孔を開設してある環板部、及び該環板部の外縁から後方へ延出されている枠部を有し、前記結合部は前記リブよりも後方へ延出され、前記貫通孔に挿入する挿入部を有する構成とするのが好ましい。
この発明にあっては、結合部の挿入部が保持体の貫通孔に挿入され、この挿入部に保持体を結合してあるため、リブ及び結合部の剛性を高めることができ、リブを一体に成形してある額縁部の剛性をより一対層高めることができる。
【発明の効果】
【００１５】
本発明によれば、液晶パネルの外周りに環状に配されるリブ及び該リブの複数の周方向位置に一体に成形してある結合部により額縁部の剛性、ひいてはパネルモジュールの剛性を高めることができる。しかも、リブは液晶パネルの外周りに環状に配され、該リブと一体に成形される結合部は保持体に結合されるため、外部の塵埃が液晶パネル側へ侵入するのをリブにより抑制することができ、液晶パネル周縁側の防塵性を高めることができる。
【発明を実施するための最良の形態】
【００１６】
以下本発明をその実施の形態を示す図面に基づいて詳述する。
実施の形態１
図１は本発明に係る液晶表示装置の構成を示す一部を省略した縦断側面図、図２は他の箇所が縦断された縦断側面図である。
【００１７】
この液晶表示装置はテレビ画像を表示する表示面１ａを前側に有する液晶パネル１と、該液晶パネル１の後側に配されている光源部２と、該光源部２及び液晶パネル１間に配されている光学シート３と、該光学シート３及び液晶パネル１間に配され、液晶パネル１の周縁部後側を保持する保持枠体５と、液晶パネル１の周縁部前側に配される額縁部６１を有し、液晶パネル１の周縁部及び光源部２の後側を隠蔽するキャビネット６と、光源部２の後面に取付けられているスタンドとを備える液晶テレビジョン、換言すれば液晶表示装置である。
【００１８】
液晶パネル１は略直方体をなし、該液晶パネル１の上縁部前面及び下縁部前面に、電子部品が実装されている複数のフレキシブルプリント基板７の一端が接続されている。
【００１９】
液晶パネル１の後側に配されている保持枠体５は、液晶パネル１の周縁部後面に対向する矩形の環板部５１と、環板部５１の外縁から後方へ延出されている枠部５２とを有しており、該保持枠体５及び光源部２が保持体を構成している。
【００２０】
環板部５１の前面には、液晶パネル１の周縁部を弾性的に受止める帯状の弾性体８が貼着されており、枠部５２の上壁外面及び下壁外面にはフレキシブルプリント基板７夫々の他端に接続されているプリント回路基板９が取付けられている。また、枠部５２の複数の周方向位置に、後方へ延出されている係止爪が一体成形されている。係止爪は可撓性を有する脚部の先端に爪部が設けられている。
【００２１】
光源部２は、複数本が上下に離隔して並置されている円筒形をなすランプ２１と、該ランプ２１を収容支持し、且つ光学シート３の周縁部を支持する深皿形をなすケース体２２と、ケース体２２の後壁内面に沿って配され、ケース体２２内に収容されているランプ２１が発光した光をケース体２２の開放側へ反射させる反射シート２３とを備え、ケース体２２の後壁外面に回路基板等の電気部品１０が取付けられている。
【００２２】
ランプ２１は両端部に電極を有する冷陰極管又は熱陰極管であり、ケース体２２内の両側に並設された凹形保持部に両端部が保持され、また、中間部がランプクリップによりケース体２２の後壁に保持されている。
【００２３】
ケース体２２は略矩形をなす後壁２２ａと、該後壁２２ａの両側部前面に固定され、ランプ２１の両端部を保持するとともに光学シート３の周縁部を受止めるランプホルダと、後壁２２ａの上下部前面に固定され、光学シート３の周縁部を受止める受止部材２４とを有する略直方体をなし、後壁２２ａの周縁部後面に取付板２５が固定されている。受止部材２４には光学シート３の移動を規制する規制部材２６が支持されている。
【００２４】
取付板２５には、後記する筒形ボス６６の孔に対応する複数の挿通孔２５ａと、前記係止爪に対応する係止孔とが開設され、前記係止爪が係止孔の縁部に係止されることにより保持枠体５をケース体２２に結合してある。
【００２５】
キャビネット６は、液晶パネル１の周縁部前側に配され、保持枠体５の環板部５１を隠蔽する額縁部６１、及び額縁部６１の外縁から後方へ延出され、保持枠体５より大型の角筒部６２を有するキャビネット前分体６ａと、ケース体２２の後側を隠蔽する皿状板部６３、及び皿状板部６３の外縁から前方へ延出され、保持枠体５より大型の角筒部６４を有するキャビネット後分体６ｂとを備える。
【００２６】
図３はリブ及び筒形ボスの構成を示すもので、(a) は斜視図、(b) は断面図である。キャビネット前分体６ａの額縁部６１は液晶パネル１より大型に形成され、額縁部６１の外縁側でケース体２２の周縁部と対向する位置には、後方へ延出され、額縁部６１及びケース体２２の周縁部間をほぼ閉塞して防塵する環状のリブ６５と、該リブ６５の複数の周方向位置に配された筒形ボス６６とが合成樹脂材料により一体に成形されており、また、額縁部６１の内周側で液晶パネル１の前面と対向する箇所には、液晶パネル１の周縁部を弾性的に保持する帯状の弾性体１１が貼着されている。また、角筒部６２の後端には環状溝６２ａと、該環状溝６２ａより内周側に配されている緊締孔とが設けられており、角筒部６４が環状溝６２ａに挿入されることにより防塵するように構成されている。尚、筒形ボス６６が結合部を構成している。
【００２７】
リブ６５は断面が板状をなし、額縁部６１及び取付板２５の間の距離とほぼ等しい長さに形成され、額縁部６１がケース体２２に結合されたとき、リブ６５の端縁がケース体２２の周縁部に当接又は若干の隙間で対向し、額縁部６１及びケース体２２の周縁部間をほぼ閉塞することができるように構成されている。
【００２８】
筒形ボス６６は図２、図３に示すように基端が額縁部６１に連なり、リブ６５の端縁に亘って該リブ６５と一体に成形され、該筒形ボス６６の孔に、タッピングネジからなる雄螺子１２が捩じ込まれるように構成されている。
【００２９】
キャビネット後分体６ｂの皿状板部６３の外縁部には前記緊締孔に対応する複数の挿通孔が周方向へ離隔して開設され、該挿通孔へ挿通して前記緊締孔に捩じ込まれる雄螺子によりキャビネット後分体６ｂをキャビネット前分体６ａに結合してある。また、皿状板部６３には複数の放熱孔が開設されている。
【００３０】
以上のように構成された液晶表示装置は例えば次の(1) 〜(6) の工程で組立てられる。
(1) 作業台上に開放部を上向にして平置きされたケース体２２内に反射シート２３、ランプ２１が組込まれ、光源部２が形成される。この光源部２の上側に光学シート３が載置され、該光学シート３の周縁部がランプホルダ及び受止部材２４に支持される。
(2) 光学シート３の上側に保持枠体５が載置され、該保持枠体５の係止爪がケース体２２の係止孔に嵌入係止され、保持枠体５及びケース体２２が一体となる。
(3) 作業台上に額縁部６１が下側となるように平置きされたキャビネット前分体６ａの内側に液晶パネル１が挿入され、額縁部６１に載置される。
(4) 結合された保持枠体５及びケース体２２は、保持枠体５が下側となるように反転され、この反転状態で液晶パネル１の上側に載置される。この際、額縁部６１及び環板部５１が液晶パネル１の周縁を挾持し、また、リブ６５及び筒形ボス６６の端縁が取付板２５に接触し、液晶パネル１周縁側の額縁部６１及びケース体２２の周縁部間をほぼ閉塞する。
(5) ケース体２２における取付板２５の挿通孔２５ａに雄螺子１２を挿入し、該雄螺子１２を、筒形ボス６６の孔に緊締することにより、キャビネット前分体６ａ及びケース体２２が一体に結合される。
(6) キャビネット後分体６ｂの挿通孔に雄螺子を挿入し、該雄螺子を角筒部６２の緊締孔に緊締することにより、キャビネット前分体６ａ及びキャビネット後分体６ｂが一体に結合される。
【００３１】
以上のように額縁部６１と保持枠体５の環板部５１との間で液晶パネル１の周縁部を挾持した際、リブ６５がケース体２２の周縁部に接触し、液晶パネル１周縁側の額縁部６１及びケース体２２の周縁部間をほぼ閉塞して防塵するため、キャビネット後分体６ｂに開設されている複数の放熱孔からキャビネット６内へ侵入した塵埃が、保持枠体５周りの空間を経て液晶パネル１側へ進行するのを防ぐことができ、液晶パネル１の後面に塵埃が付着するのを防ぐことができる。
【００３２】
また、液晶パネル１の周縁部を挾持する額縁部６１は、液晶パネル１の外周りに配されている環状のリブ６５により補強され、さらにリブ６５は、該リブ６５の周方向の中途に一体成形してある筒形ボス６６により補強されているため、額縁部６１の剛性を高めることができ、液晶パネル１を保護することができる。
【００３３】
実施の形態２
図４は本発明に係る液晶表示装置の他の構成を示す一部を省略した縦断側面図、図５は他の箇所が縦断された縦断側面図、図６はリブ６５及び筒形ボス６６の構成を示す斜視図である。この液晶表示装置は、実施の形態１におけるリブ６５及び筒形ボス６６を、保持枠体５の外側に配する代わりに、保持枠体５の環板部５１と対向する位置に配し、筒形ボス６６が挿入される貫通孔５３を環板部５１に設けたものである。
【００３４】
液晶パネル１の外側に環状に配されるリブ６５及び筒形ボス６６は額縁部６１と一体に成形されている。リブ６５は断面が板状をなし、額縁部６１と環板部５１との間の距離とほぼ等しい長さに形成され、額縁部６１がケース体２２に結合されたとき、リブ６５の端縁が環板部５１に当接又は若干の隙間で対向し、額縁部６１及び保持枠体５の周縁部間をほぼ閉塞することができるように構成されている。
【００３５】
筒形ボス６６は図６に示すように基部６６ｂが額縁部６１及びリブ６５に連なり、リブ６５の端縁より後方へ延出され、延出部６６ａが貫通孔５３に挿入されている。尚、延出部６６ａが挿入部を構成している。
【００３６】
保持枠体５は、液晶パネル１の周縁部後面に対向する矩形の環板部５１と、環板部５１の外縁から後方へ延出されている枠部５２とを有し、環板部５１の外縁側が段部５４を経て後方へ偏倚しており、該偏倚部に貫通孔５３が開設されている。
【００３７】
ケース体２２は後壁２２ａの周縁縁から前方へ立上がる立上部２２ｂと、立上部２２ｂの前端から外方へ延出された結合板部２２ｃ、該結合板部２２ｃの外縁から後方へ延出された補強壁２２ｄとを有し、結合板部２２ｃの複数の周方向位置に、筒形ボス６６に対応する挿通孔２７が開設されている。また、ケース体２２の両側部内側にランプホルダが固定され、上下部内側に受止部材２４が固定されている。ランプホルダ及び受止部材２４のシート受止部は外方へ延出され、延出部に、筒形ボス６６に対応する挿通孔２４ａが開設されている。また、補強壁２２ｄの縁部には複数の緊締孔を有する取付片が設けられ、キャビネット後分体６ｂの挿通孔へ挿通して前記緊締孔に捩じ込まれる雄螺子によりキャビネット後分体６ｂをケース体２２に結合してある。
【００３８】
以上のように構成された液晶表示装置は例えば次の(1) 〜(5) の工程で組立てられる。
(1) 作業台上に額縁部６１が下側となるように平置きされたキャビネット前分体６ａの内側に液晶パネル１が挿入され、額縁部６１に載置され、該液晶パネル１の上側に保持枠体５が載置される。この際、筒形ボス６６が貫通孔５３に挿入され、額縁部６１及び環板部５１が液晶パネル１の周縁を挾持し、また、リブ６５の端縁が環板部５１に接触し、液晶パネル１周縁側の額縁部６１及び保持枠体５の周縁部間をほぼ閉塞する。
(2) 保持枠体５における環板部５１の上側に光学シート３が載置され、該光学シート３の周縁部が環板部５１に支持される。
(3) 作業台上に開放部を上向にして平置きされたケース体２２内に反射シート２３、ランプ２１が組込まれ、光源部２が形成される。
(4) 光源部２はケース体２２の開放部が下側となるように反転され、この反転状態で光学シート３の上側に載置される。この際、結合板部２２ｃ及び受止部材２４の挿通孔２７が筒形ボス６６と対向する。挿通孔２７に雄螺子１２を挿入し、該雄螺子１２を、筒形ボス６６の孔に緊締することにより、キャビネット前分体６ａ及び保持枠体５及びケース体２２が一体に結合される。
(5) キャビネット後分体６ｂの挿通孔に雄螺子を挿入し、該雄螺子を取付片の緊締孔に緊締することにより、キャビネット前分体６ａ、光源部及びキャビネット後分体６ｂが一体に結合される。
【００３９】
以上のように額縁部６１と保持枠体５の環板部５１との間で液晶パネル１の周縁部を挾持した際、リブ６５が環板部５１の周縁部に接触し、液晶パネル１周縁側の額縁部６１及び保持枠体５の周縁部間をほぼ閉塞して防塵するため、キャビネット後分体６ｂに開設されている複数の放熱孔からキャビネット６内へ侵入した塵埃が、保持枠体５周りの空間を経て液晶パネル１側へ進行するのを防ぐことができ、液晶パネル１の後面に塵埃が付着するのを防ぐことができる。
【００４０】
また、液晶パネル１の周縁部を挾持する額縁部６１は、液晶パネル１の外周りに配されている環状のリブ６５により補強され、さらにリブ６５は、該リブ６５の周方向の中途に一体成形してある筒形ボス６６により補強されているため、額縁部６１の剛性を高めることができ、液晶パネル１を保護することができる。
【００４１】
また、リブ６５と一体に形成されている筒形ボス６６は、保持枠体５の環板部５１に開設されている貫通孔５３に挿入されているため、表示パネル１に対するキャビネット６の大きさ、ひいては表示装置全体を実施の形態１に比べて小型にすることができる。
その他の構成及び作用は実施の形態１と同様であるため、同様の部品については同じ符号を付し、その詳細な説明及び作用効果の説明を省略する。
【００４２】
実施の形態３
図７は本発明に係る液晶表示装置の他の構成を示す一部を省略した縦断側面図、図８は他の箇所が縦断された縦断側面図である。この液晶表示装置は、実施の形態１、２における筒形ボス６６に代えて、可撓性を有する係止爪６７をリブ６５と一体に設け、雄螺子を緊締することなく液晶パネル１を挾持することができるように構成したものである。
【００４３】
液晶パネル１の外側に環状に配されるリブ６５は断面が板状をなし、額縁部６１と一体に成形されおり、該リブ６５の複数の周方向位置に、後方へ延出されている係止爪６７が一体成形されている。係止爪６７は可撓性を有する脚部の先端に爪部が設けられている。
【００４４】
保持枠体５は、液晶パネル１の周縁部後面に対向する矩形の環板部５１と、環板部５１の外縁から後方へ延出されている枠部５２とを有し、該枠部５２の複数の周方向位置に、係止爪６７に対応する被係止部５５及び緊締孔を有する複数の取付片が設けられている。
【００４５】
ケース体２２は後壁２２ａの周縁から前方へ立上がる立上部２２ｂと、立上部２２ｂの前端から内方へ延出された受止板部２２ｅとを有し、両側部内側にランプホルダが配され、上下部内側に受止部材２４を配してあり、ランプホルダ及び受止部材２４に光学シート３の周縁部が支持され、該光学シート３及び受止板部２４間にシート押え板１３を配してある。また、受止板部２２ｅに保持枠体５の環板部５１が支持されている。また、ケース体２２には後壁２２ａの周縁から外方へ延出された複数の取付片を有し、該取付片に、保持枠体５の緊締孔に対応する挿通孔及びキャビネット後分体６ｂの挿通孔に対応する緊締孔が夫々開設されている。
【００４６】
以上のように構成された液晶表示装置は例えば次の(1) 〜(5) の工程で組立てられる。
(1) 作業台上に開放部を上向にして平置きされたケース体２２内に反射シート２３、ランプ２１が組込まれ、光源部２が形成される。
(2) 光源部２の上側に光学シート３及びシート押え板１３が載置され、光学シート３の周縁部がランプホルダ及び受止部材２４に支持される。
(3) 作業台上に額縁部６１が下側となるように平置きされたキャビネット前分体６ａの内側に液晶パネル１が挿入され、額縁部６１に載置され、該液晶パネル１に保持枠体５の環板部５１が載置される。この際、額縁部６１の係止爪６７が保持枠体５の被係止部５５に係止され、キャビネット前分体６ａ及び保持枠体５が一体となり、液晶パネル１の周縁部が挾持される。
(4) 光学シート３を支持した光源部２は、光学シート３が下側となるように反転され、この反転状態で環板部５１の上側に載置される。この際、ケース体２２の取付片に開設されている挿通孔に雄螺子を挿入し、該雄螺子を、保持枠体５の取付片に開設されている緊締孔に緊締することにより、保持枠体５及びケース体２２が一体に結合される。
(5) キャビネット後分体６ｂの挿通孔に雄螺子を挿入し、該雄螺子をケース体２２における取付片の緊締孔に緊締することにより、キャビネット前分体６ａ、ケース体２２及びキャビネット後分体６ｂが一体に結合される。
【００４７】
この実施の形態にあっては、雄螺子を緊締することなく液晶パネル１の周縁部を挾持することができるため、組立作業性を向上することができ、コストをより一層低減できる。また、筒形ボス６６に代えて係止爪６７を有するため、表示パネル１に対するキャビネット６の大きさ、ひいては表示装置全体を実施の形態１に比べて小型にすることができる。
その他の構成及び作用は実施の形態１と同様であるため、同様の部品については同じ符号を付し、その詳細な説明及び作用効果の説明を省略する。
【００４８】
実施の形態４
図９は本発明に係る液晶表示装置の他の構成を示す一部を省略した縦断側面図である。この液晶表示装置は、実施の形態１〜３における保持枠体５をなくし、ケース体２２が液晶パネル１の周縁部後側を保持する構成としたものである。
【００４９】
液晶パネル１の外側に環状に配されるリブ６５は額縁部６１と一体に成形されおり、該リブ６５の複数の周方向位置に、後方へ延出されている係止爪６８が一体成形されている。
【００５０】
ケース体２２は後壁２２ａの周縁から前方へ立上がる立上部２２ｂと、立上部２２ｂの前端から内方へ延出された受止板部２２ｆとを有し、両側部内側にランプホルダが配され、上下部内側に受止部材２４を配してあり、ランプホルダ及び受止部材２４に光学シート３の周縁部が支持されている。また、受止板部２２ｆに液晶パネル１の周縁部後側が支持されている。また、ケース体２２の立上部２２ｂには外方へ延出された複数の取付片２２ｇを有し、該取付片２２ｇに、係止爪６８に対応する被係止部２２ｈが設けられており、また、後壁２２ａの周縁部にはキャビネット後分体６ｂの挿通孔に対応する緊締孔が開設された取付片を有する。
【００５１】
この表示装置にあっては、雄螺子を緊締することなく液晶パネル１の周縁部を挾持することができるため、組立作業性を向上することができ、コストをより一層低減できる。また、筒形ボス６６に代えて係止爪６８を有するため、表示パネル１に対するキャビネット６の大きさ、ひいては表示装置全体を実施の形態１に比べて小型にすることができる。
その他の構成及び作用は実施の形態１と同様であるため、同様の部品については同じ符号を付し、その詳細な説明及び作用効果の説明を省略する。
【００５２】
尚、以上説明した実施の形態では、額縁部６１及び角筒部６２を有するキャビネット前分体６ａを有する構成としたが、その他、角筒部６２がなく、額縁部６１がキャビネット前分体６ａである構成としてもよい。この場合、キャビネット後分体６ｂの角筒部６４は額縁部６１に至るまで延出される。
【００５３】
また、以上説明した実施の形態では、リブ６５を環状としたが、その他、リブ６５は周方向の一部が欠除された筒形、又は周方向へ離隔して配された筒形の構成としてもよい。
【図面の簡単な説明】
【００５４】
【図１】本発明に係る液晶表示装置の構成を示す一部を省略した縦断側面図である。
【図２】本発明に係る液晶表示装置の他の箇所が縦断された縦断側面図である。
【図３】本発明に係る液晶表示装置のリブ及び筒形ボスの構成を示すもので、(a) は斜視図、(b) は断面図である。
【図４】本発明に係る液晶表示装置の他の構成を示す一部を省略した縦断側面図である。
【図５】本発明に係る液晶表示装置の他の箇所が縦断された縦断側面図である。
【図６】本発明に係る液晶表示装置のリブ及び筒形ボスの構成を示す斜視図である。
【図７】本発明に係る液晶表示装置の他の構成を示す一部を省略した縦断側面図である。
【図８】本発明に係る液晶表示装置の他の箇所が縦断された縦断側面図である。
【図９】本発明に係る液晶表示装置の他の構成を示す一部を省略した縦断側面図である。
【符号の説明】
【００５５】
１    液晶パネル
１ａ  表示面
２    光源部（保持体）
５    保持枠体（保持体）
６    キャビネット
６１  額縁部
６５  リブ
６６  筒形ボス（結合部）
２５ａ  挿通孔（被結合部）
１２  雄螺子
６７，６８  係止爪（結合部）
５３  貫通孔
５１  環板部
５２  枠部
【図１】
2009186831.tif 000003
【図２】
2009186831.tif 000004
【図３】
2009186831.tif 000005
【図４】
2009186831.tif 000006
【図５】
2009186831.tif 000007
【図６】
2009186831.tif 000008
【図７】
2009186831.tif 000009
【図８】
2009186831.tif 000010
【図９】
2009186831.tif 000011